(57)【要約】【課題】本発明は、製造コストを増加させることなく、排水蓋に覆われた排水凹部を自然に乾燥させることが可能な浴室用排水蓋、並びに、浴室の排水構造を提供することを目的とした。【解決手段】浴室用排水蓋１は、覆蓋部１０と、覆蓋部１０に対して一体的に形成された姿勢固定部１１とを有する。覆蓋部１０は、浴室に設けられた排水口３を覆うものであり、姿勢固定部１１は、覆蓋部１０を排水口３を覆う姿勢から異なる姿勢に変更した際に、変更後の覆蓋部１０の姿勢を自立的に維持することを可能にするものである。【選択図】図１
2012072574.tif 000002
【特許請求の範囲】
【請求項１】
覆蓋部を有し、覆蓋部によって浴室に設けられた排水口を覆うことを可能とした浴室用排水蓋であって、
覆蓋部に対して一体的に形成された姿勢固定部を有し、
覆蓋部の姿勢を排水口を覆う姿勢から変更した際に、姿勢固定部によって、覆蓋部の前記変更後の姿勢が自立的に維持されることを特徴とする浴室用排水蓋。
【請求項２】
前記姿勢固定部及び／又は覆蓋部は、点状又は線状の隙間形成部を有し、
覆蓋部が自立する姿勢に変更された際に、浴室用排水蓋と浴室の床面との間に隙間が形成されることを特徴とする請求項１に記載の浴室用排水蓋。
【請求項３】
前記姿勢固定部及び／又は覆蓋部は、覆蓋部が自立する姿勢に変更された際に浴室の床面と当接する部位に、滑り止め加工が施されていることを特徴とする請求項１又は２に記載の浴室用排水蓋。
【請求項４】
前記姿勢固定部と、覆蓋部における排水口を覆う面は、ほぼＬ字状、ほぼＴ字状、あるいは、ほぼコの字状の関係とされていることを特徴とする請求項１乃至３のいずれかに記載の浴室用排水蓋。
【請求項５】
請求項１乃至４のいずれかに記載の浴室用排水蓋と、浴室の洗い場側における湯水を排水する排水口を有した排水凹部を備え、排水凹部は洗い場の隅又は縁に設けられ、排水凹部において覆蓋部が排水口を覆った姿勢では、姿勢固定部が洗い場の内側に配されるものであって、
排水凹部内において、姿勢固定部を支点として覆蓋部を排水口に対し離反する方向に回動させて、覆蓋部を自立する姿勢に至らせることが可能であることを特徴とする浴室の排水構造。
【請求項６】
覆蓋部が自立する姿勢に変更された際に、当該覆蓋部が前記自立姿勢からさらに排水口に対して離反する方向に回動することを阻止する回動阻止手段が設けられていることを特徴とする請求項５に記載の浴室の排水構造。
【発明の詳細な説明】
【技術分野】
【０００１】
本発明は、浴室用排水蓋に関するものであり、さらにその浴室用排水蓋を備えた浴室の排水構造に関するものである。
【背景技術】
【０００２】
浴室においては、掛け湯やすすぎ湯として使用した湯水を、洗い場の排水口から排水するが、一般的に、その排水口は、洗い場の隅又は縁（例えば、浴槽エプロン近傍や、混合栓等が配されたカウンターの下方）に配される傾向がある。そのため、浴室の洗い場の床は、排水口に向かって下り勾配に設計されている。これにより、浴室の洗い場で使用された湯水は、スムーズに排水口に流れて排水される。
【０００３】
また、最近では、浴室の洗い場において、床に勾配を設けるだけでなく、表面形状に工夫（例えば、格子状の溝）を施したものがある。この床構造により、床表面に湯水が滞留することなく、より短時間且つスムーズに湯水を排水口に流すことができる。即ち、この種の床構造を備えた洗い場の床は、従来の床構造を備えた洗い場の床より短時間に乾燥するため、床表面においてカビが発生し難い。
【０００４】
一方、浴室の洗い場における排水口は、異物（洗浄時や入浴時に通常発生する毛髪等を除く）の流入防止や、排水口の目隠し等を目的として、蓋（以下、排水蓋と称す）で覆われているため、排水蓋内部は湿気が多くカビが発生し易い。
そこで、特許文献１には、排水凹部（排水蓋で覆われた排水口を含む領域）を強制的に乾燥可能な送風機を備えた発明が開示されている。
【先行技術文献】
【特許文献】
【０００５】
【特許文献１】特開２００４−２６４００１号公報
【発明の概要】
【発明が解決しようとする課題】
【０００６】
しかしながら、排水凹部を乾燥させる目的のために送風機を設けることは、部品点数が増え、大幅な製造コストの増加に繋がるため避けたい。
また、特許文献１では、網の目形状の排水蓋を用いているため、送風効率が高く短時間に乾燥できるが、そうでない排水蓋（例えば、目隠し機能が高い蓋）の場合、送風効率が低くなるため、乾燥に要する送風時間が長時間化する不満がある。即ち、省エネルギーの観点からも、排水凹部を乾燥させるためだけに送風機を駆動させることは避けたい。
【０００７】
そこで、本発明では、従来技術の問題に鑑み、製造コストを増加させることなく、排水蓋に覆われた排水凹部を自然に乾燥させることが可能な浴室用排水蓋、並びに、浴室の排水構造を提供することを目的とする。
【課題を解決するための手段】
【０００８】
上記課題を解決するため、請求項１に記載の発明は、覆蓋部を有し、覆蓋部によって浴室に設けられた排水口を覆うことを可能とした浴室用排水蓋であって、覆蓋部に対して一体的に形成された姿勢固定部を有し、覆蓋部の姿勢を排水口を覆う姿勢から変更した際に、姿勢固定部によって、覆蓋部の前記変更後の姿勢が自立的に維持されることを特徴とする浴室用排水蓋である。
【０００９】
本発明の浴室用排水蓋は、覆蓋部の姿勢を排水口を覆う姿勢から変更した際に、姿勢固定部によって、覆蓋部の変更後の姿勢が自立的に維持される構成とされている。ここで、覆蓋部の変更後の姿勢は、例えば、覆蓋部の排水口を覆う面が、変更前の姿勢に対してほぼ直交するような状態の姿勢である。即ち、覆蓋部の姿勢を変更することで、排水口を覆蓋部で覆われた通気性の悪い状態から、排水口を浴室空気に十分にさらすことができる通気性の良い状態に変更することができる。これにより、本発明によれば、浴室を使用した後に、覆蓋部の姿勢を変更後の姿勢にしておくことで、排水口周りの湿気を短時間で取り除くことができるため、排水口周りにおけるカビ等の発生を抑制することを可能としている。
また、排水口周りを乾燥させる際には、覆蓋部の姿勢を変更するだけで良いため、使用者の作業手間が殆どない。
【００１０】
また、本発明は、覆蓋部に一体的に形成された姿勢固定部によって、覆蓋部の姿勢を通気性の良い姿勢に維持できる構成であり、使用者がその姿勢にして排水口周りを乾燥するものである。即ち、本発明によれば、従来技術のように、排水口周りのみを乾燥させるための過剰な構成（例えば、送風機）を要さない。即ち、本発明によれば、部品点数が増えることがなく、さらに製造コストが大幅に増加するようなこともない。
従って、本発明によれば、製造コストを増加させることなく、覆蓋部に覆われた排水口周りを自然に乾燥させることが可能である。
【００１１】
請求項２に記載の発明は、前記姿勢固定部及び／又は覆蓋部は、点状又は線状の隙間形成部を有し、覆蓋部が自立する姿勢に変更された際に、浴室用排水蓋と浴室の床面との間に隙間が形成されることを特徴とする請求項１に記載の浴室用排水蓋である。
【００１２】
かかる構成によれば、覆蓋部が自立する姿勢に変更された際に、点状又は線状の隙間形成部により、浴室用排水蓋における浴室の床面に対する接触面積が減縮される。そしてさらに、隙間形成部は、浴室用排水蓋における浴室の床面との間に隙間を形成するため、排水口周りを乾燥させる際に、通気性が高まり湿気が殆ど残らない。即ち、本発明によれば、隙間形成部によって湿気が残り難いため、排水口周りを短時間に効率的に乾燥させることができる。
【００１３】
請求項３に記載の発明は、前記姿勢固定部及び／又は覆蓋部は、覆蓋部が自立する姿勢に変更された際に浴室の床面と当接する部位に、滑り止め加工が施されていることを特徴とする請求項１又は２に記載の浴室用排水蓋である。
【００１４】
かかる構成によれば、姿勢固定部や覆蓋部に施された滑り止め加工により、覆蓋部が自立した姿勢の状態から滑り倒れることが防止される。
【００１５】
本発明の浴室用排水蓋は、前記姿勢固定部と、覆蓋部における排水口を覆う面は、ほぼＬ字状、ほぼＴ字状、あるいは、ほぼコの字状の関係とされていることが望ましい。（請求項４）
【００１６】
請求項５に記載の発明は、請求項１乃至４のいずれかに記載の浴室用排水蓋と、浴室の洗い場側における湯水を排水する排水口を有した排水凹部を備え、排水凹部は洗い場の隅又は縁に設けられ、排水凹部において覆蓋部が排水口を覆った姿勢では、姿勢固定部が洗い場の内側に配されるものであって、排水凹部内において、姿勢固定部を支点として覆蓋部を排水口に対し離反する方向に回動させて、覆蓋部を自立する姿勢に至らせることが可能であることを特徴とする浴室の排水構造である。
【００１７】
本発明の浴室の排水構造は、排水凹部内において、覆蓋部を姿勢固定部によって変更後の姿勢で自立的に維持させることができる。そのため、本発明によれば、覆蓋部の姿勢を変更することで、排水凹部を通気性の悪い状態から、通気性の良い状態に変更できるため、カビ等の発生を抑制することができる。
【００１８】
また、本発明によれば、排水口を覆った状態の覆蓋部における姿勢固定部が、洗い場の内側に配されており、姿勢固定部を支点として覆蓋部を排水口に対して離反する方向に回動させることで、覆蓋部を自立する姿勢に至らせることができるため、覆蓋部の姿勢を変更する際の使用者の手間が殆どない。また、覆蓋部の姿勢を再び排水口を覆う姿勢に変更する場合においては、姿勢固定部を支点として、覆蓋部を排水口に対して近接する方向に回動させれば良いため、この場合においても使用者に殆ど手間を取らせない。
さらに、本発明によれば、覆蓋部を自立する姿勢に至らせた状態においては、覆蓋部によって排水凹部が洗い場側から視認し難いため、入浴する際にたとえ排水凹部にゴミが溜まった状態であっても、入浴者の気分を害することがない。
【００１９】
請求項６に記載の発明は、覆蓋部が自立する姿勢に変更された際に、当該覆蓋部が前記自立姿勢からさらに排水口に対して離反する方向に回動することを阻止する回動阻止手段が設けられていることを特徴とする請求項５に記載の浴室の排水構造である。
【００２０】
かかる構成によれば、覆蓋部が自立姿勢に至れば、回動阻止手段によって、覆蓋部が排水口に対して、それ以上離反する方向に回動することが阻止されるため、覆蓋部を過度に回動させてしまうような不具合が生じない。
【発明の効果】
【００２１】
本発明の浴室用排水蓋、並びに、浴室の排水構造では、覆蓋部の変更後の姿勢を、覆蓋部に一体的に形成された姿勢固定部によって、自立的に維持できるため、使用者に手間を取らせることなく排水口周りの通気性を高めることができる。従って、製造コストを増加させることなく、排水口周りの乾燥効率を高めることができるため、排水口周りのカビ等の発生を抑制することができる。
【図面の簡単な説明】
【００２２】
【図１】本発明の実施形態に係る浴室の排水構造を示す斜視図である。
【図２】図１の浴室用排水蓋を示すＡ方向矢視図である。
【図３】図１の浴室用排水蓋を示すＢ−Ｂ断面図である。
【図４】図１の排水凹部の要部を示すＣ方向矢視図である。
【図５】浴室用排水蓋が排水凹部に嵌め込まれた状態（目隠し姿勢）を示す斜視図である。
【図６】目隠し姿勢の浴室用排水蓋と排水凹部との関係を示す断面図で、図５のＤ−Ｄ断面図である。
【図７】目隠し姿勢の浴室用排水蓋と排水凹部との関係を示す断面図で、図５のＥ−Ｅ断面図である。
【図８】排水凹部内において起立状態（乾燥姿勢）の浴室用排水蓋を示す斜視図である。
【図９】浴室用排水蓋を目隠し姿勢から乾燥姿勢に変更する際の動作を（ａ）〜（ｃ）に段階的に示した断面図で、図８のＦ−Ｆ方向から見た図としている。
【図１０】図９（ｃ）の状態（乾燥姿勢）の浴室用排水蓋と排水凹部との関係を示す断面図で、図８のＧ−Ｇ方向から見た図としている。
【図１１】浴室用排水蓋の変形例を示す斜視図である。
【図１２】浴室用排水蓋の別の変形例を示す斜視図である。
【発明を実施するための形態】
【００２３】
以下に、本実施形態に係る浴室の排水構造について説明する。
なお、以下においては、特に断りがない限り、上下左右の関係は、図１を基準に説明する。
【００２４】
本実施形態の浴室の排水構造は、浴室の洗い場側に配される排水構造であって、洗い場側で使用された湯水等が排水される排水口３を有した排水凹部２と、その排水口３を覆うように排水凹部２に嵌め込まれる浴室用排水蓋（以下、単に排水蓋とも称す）１で構成されている。
【００２５】
まず、浴室用排水蓋１について説明する。
浴室用排水蓋１は、図１に示すように、平面視した形状がほぼ長方形の板状の覆蓋部１０と、覆蓋部１０に一体的に形成された姿勢固定部１１及び高さ調整部１２とで構成されている。
【００２６】
覆蓋部１０は、排水凹部２（後述する）を覆う部分であり、平面部３０と、平面部３０に対して傾斜した傾斜部３１とを有する。
平面部３０は、覆蓋部１０における８割以上の領域を占める部分である。
傾斜部３１は、覆蓋部１０の１対の長手側縁部のうちの一方の側に設けられており、その縁端に向かってテーパ状に形成されている。具体的には、図３に示すように、１つの長手側縁端近傍がその縁端に向かって下り勾配に形成されている。
また、傾斜部３１の縁端部であって覆蓋部１０の長手方向中央には、円弧状の凹部３９が形成されている。なお、凹部３９は、後述する高さ調整部１２に渡って連続的に形成されている。
【００２７】
姿勢固定部１１は、覆蓋部１０の平面部３０に対して、ほぼ直交する方向に片持ち状に張り出した部分であり、突端部の角を丸めて曲面部３３が形成されている。本実施形態では、姿勢固定部１１は、覆蓋部１０における傾斜部３１と対向する長手側縁部に２箇所設けられている。具体的には、２つの姿勢固定部１１ａ、１１ｂは、覆蓋部１０の長手側縁部であってその長手方向端部に１つずつ配されており、双方が同一方向に張り出している。
【００２８】
また、各姿勢固定部１１ａ、１１ｂの大きさは、張り出し方向長さが覆蓋部１０の厚みの３〜４倍程度で、覆蓋部１０の長手方向に沿った長さが覆蓋部１０の長手方向長さに対して１／５〜１／４倍程度で、厚み（図１における洗い場から浴槽方向長さ）は覆蓋部１０の厚みとほぼ同じである。即ち、姿勢固定部１１において、主に「張り出し方向長さ」と「覆蓋部１０の長手方向に沿った長さ」を有する面（以下、大側面４０と称す）は、主に「張り出し方向長さ」と「厚み」を有する面（以下、小側面４１と称す）よりも面積が十分大きい。
なお、以下の説明において、図１〜３に示すように、１対の大側面４０のうち浴室用排水蓋１の外側に位置する面を外大側面４０ａとし、内側に位置する面を内大側面４０ｂとする。さらに、１対の小側面４１のうち浴室用排水蓋１の外側に位置する面を外小側面４１ａとし、内側に位置する面を内小側面４１ｂとする。
【００２９】
また、各姿勢固定部１１ａ、１１ｂには、突起部（隙間形成部）３２が設けられている。突起部３２は、外大側面４０ａに設けられており、外大側面４０ａにおける姿勢固定部１１の基端側に配されている。また、突起部３２は、外大側面４０ａに対して交差する方向に突出しており、突出面が曲面状に形成されている。さらに本実施形態の突起部３２は、突出面の表面に滑り止め加工が施されている。具体的には、突起部３２の表面に複数の溝が形成されており、摩擦力が高められている。
【００３０】
高さ調整部１２は、覆蓋部１０の傾斜部３１側の縁端部（覆蓋部１０の長手側縁部及び短手側縁部の一部）を囲繞する位置に設けられた部分で、姿勢固定部１１の張り出し方向と同方向に張り出すように形成されている。
また、高さ調整部１２における、覆蓋部１０の短手側に掛かる部分については、平面部３０に若干掛かるように設けられている。即ち、高さ調整部１２は、図２に示すように、ほぼ「コ」の字型に設けられており、その両端部は平面部３０側であって平面部３０と傾斜部３１の境界近傍に位置している。
また、前記したように、傾斜部３１と同様の位置に凹部３９が形成されている。
なお、高さ調整部１２の張り出し長さは、姿勢固定部１１の張り出し長さの１／３〜１／２倍くらいの長さであり、好ましくは姿勢固定部１１の張り出し長さの１／３倍程度の長さとされている。
【００３１】
続いて、排水凹部２について説明する。
排水凹部２は、浴室で使用された湯水等の図示しない排水系統への導入口であり、図１に示すように、洗い場の床に形成された平面視した形状がほぼ長方形状の一時貯留部１５と、洗い場で使用された湯水等が排水される排水口３と、一時貯留部１５の縁に沿うように設けられた段状部１３とで構成されている。
【００３２】
一時貯留部１５は、底面４３と、その底面４３を囲繞するように設けられた４つの側面４５ａ〜４５ｄで形成されている。なお、一時貯留部１５の大きさは、排水蓋１が嵌め込まれた際に、排水蓋１と側面４５ａ〜４５ｄとの間に若干隙間が形成される程度に設計されている。
排水口３は、一時貯留部１５の底部４３の中心を含む位置に形成された円形状の開口である。
段状部１３は、一時貯留部１５内に２つ設けられており、一時貯留部１５の床面４３から盛り上がる方向に形成された部分である。
【００３３】
具体的には、各段状部１３ａ、１３ｂは、一時貯留部１５における短手側縁部から長手側縁部の一部に渡って形成されており、平面視した形状が「Ｌ」字型に設計されている。より具体的には、図１の右側に位置する段状部１３ａは、側面４５ａと側面４５ｂに沿って設けられており、図１の左側に位置する段状部１３ｂは、側面４５ａと側面４５ｄに沿って設けられている。即ち、段状部１３ａ、１３ｂにおける同一の側面４５ａに沿った各端部は、互いに向き合った関係である。
【００３４】
また、各段状部１３ａ、１３ｂにおける一時貯留部１５の短手側縁部に沿って設けられた部分には、回動阻止部（回動阻止手段）２０と、段状傾斜部２１が形成されている。
回動阻止部２０は、図４に示すように、一時貯留部１５の短手方向中途に位置しており、側面４５ａ方向に曲線状に切り込まれた部分であり、底面４３よりも若干高い位置に設けられている。即ち、回動阻止部２０の切り込みの下端側は、底面４３よりも高い位置にある。
段状傾斜部２１は、回動阻止部２０の切り込みの下端側から側面４５ｃに向かって下り勾配の傾斜を有した部分である。即ち、段状傾斜部２１の天面は、段状部１３におけるその他の部分の天面よりも底面４３からの高さが低く、さらに傾斜状に設計されている。
【００３５】
次に、本実施形態の排水蓋１の使用方法について説明する。
本実施形態の排水蓋１は、排水凹部２の一時貯留部１５に嵌め込んで使用する目隠し姿勢と、排水凹部２内を効率的に自然乾燥する乾燥姿勢を適宜変更して使用可能とするものである。
【００３６】
まず、目隠し姿勢の状態の排水蓋１について説明する。
本実施形態においては、入浴の際に排水蓋１を目隠し姿勢にするものであって、図５に示すように、排水蓋１を洗い場の床面の一部を形成するように配置する。具体的には、排水蓋１は、覆蓋部１０の傾斜部３１が浴槽側（洗い場の縁）に位置し、姿勢固定部１１が洗い場の内側に位置するように、排水凹部２内に配置される。このとき、図６、７に示すように、排水蓋１は、覆蓋部１０の平面部３０が排水凹部２の底面４３と向き合った状態である。
【００３７】
さらにこの状態においては、排水蓋１の高さ調整部１２の底面が、排水凹部２の段状部１３の天面と当接し、且つ排水蓋１の姿勢固定部１１の曲面部３３が、排水凹部２の底面４３と当接した状態である。即ち、排水蓋１と排水凹部２で囲まれた部分に、洗い場から急激に多量の湯水等が流された際に、一時的にその湯水が貯留される湯水貯留空間２４が形成される。
【００３８】
また、上記したように、排水蓋１は、排水凹部２の一時貯留部１５よりも小さく設計されているため、排水蓋１が排水凹部２に嵌め込まれた状態においては、排水蓋１の少なくとも２面の側部が排水凹部２の側面４５から離反して隙間が形成される。
従って、本実施形態では、入浴時に排水蓋１を目隠し姿勢の状態にするものであって、洗い場で使用された湯水等は、排水蓋１と排水凹部２との間に形成された隙間及び排水蓋１に形成された凹部３９から湯水貯留空間２４に流入し、排水口３から図示しない排水系統に流される。
【００３９】
続いて、乾燥姿勢の状態の排水蓋１について説明する。
本実施形態においては、入浴後に排水蓋１を乾燥姿勢にするものであって、図８に示すように、覆蓋部１０を排水凹部２の底面４３に対して交差するように配置する。
ここで、本実施形態では、排水蓋１を目隠し姿勢の状態から乾燥姿勢の状態に容易に変更できるため、その手順について具体的に説明する。
まず、図９（ａ）に示すように、目隠し姿勢の排水蓋１における凹部３９に指を掛け、上方に持ち上げるように力を加える。すると、排水蓋１は、姿勢固定部１１の曲面部３３を支点として、覆蓋部１０が排水凹部２の底面４３から離反する方向に回動する。また、この動作と同時に、曲面部３３は、段状部１３の段状傾斜部２１の傾斜面（天面）に沿って滑る。即ち、排水蓋１は、図９（ｂ）に示すように、回動支点（曲面部３３）が回動阻止部２０に近接する方向に移動しながら、覆蓋部１０を排水口３に対して開放する方向に回動する。
【００４０】
そして、図９（ｃ）に示すように、姿勢固定部１１の曲面部３３が回動阻止部２０に到達し、姿勢固定部１１に設けられた突起部３２が段状傾斜部２１と当接すると、排水蓋１の回動動作が規制される。即ち、図９（ｃ）、１０に示すように、姿勢固定部１１の外大側面４０ａが段状傾斜部２１の傾斜面にほぼ沿うように配置され、覆蓋部１０がその段状傾斜部２１の傾斜面に対して、ほぼ垂直の状態（乾燥姿勢）となれば、排水蓋１をさらに排水凹部２の底面４３から離反する方向に回動させることができなくなり、その状態の姿勢が維持される。
【００４１】
なお、本実施形態では、乾燥姿勢において、姿勢固定部１１を段状傾斜部２１の傾斜面に沿うように配置するが、排水蓋１の突起部３２が段状傾斜部２１の低部側に位置するため、乾燥姿勢の排水蓋１が実際に傾く角度は小さい。即ち、乾燥姿勢の排水蓋１が、段状傾斜部２１の勾配によって倒れることはなく、自立的にその姿勢を維持することが可能である。また、乾燥姿勢においては、姿勢固定部１１の曲面部３３は、段状部１３の回動阻止部２０に位置すると共に、摩擦力が高められた突起部３２が段状傾斜部２１における滑りを防止しているため、外力によっても、排水蓋１が目隠し姿勢から反転する状態まで回動することはない。
【００４２】
本実施形態では、排水蓋１を、姿勢固定部１１によって、排水凹部２を開放した自立的な乾燥姿勢に維持できるため、排水凹部２における湿気を自然且つ効率的に乾燥させることができる。また、本実施形態では、姿勢固定部１１に設けた突起部３２を排水凹部２に当接させ、姿勢固定部１１と排水凹部２との間に隙間を形成する構成とされているため、排水蓋１と排水凹部２との接触面積が小さくなり、通気性をより向上させることができる。これにより、湿気が残る部分を限りなく小さくできるため、カビ等の発生及び繁殖を抑制することができる。
【００４３】
さらに、本実施形態における乾燥姿勢では、排水蓋１における姿勢固定部１１の曲面部３３を、排水凹部２における段状部１３の回動阻止部２０に配置させるため、排水蓋１が目隠し姿勢の反転状態まで回動するような不具合が起きない。これにより、例えば、浴室乾燥機あるいは浴室内に吹き込まれる風等の影響で、乾燥姿勢の排水蓋１の姿勢が変更されてしまう不具合が防止される。
【００４４】
上記実施形態では、姿勢固定部１１を覆蓋部１０の長手側縁部に配し、姿勢固定部１１と覆蓋部１０との関係がほぼ「Ｌ」字型となる構成を示したが、本発明はこれに限定されず、例えば、図１１に示すように、排水蓋５０と姿勢固定部５２の関係がほぼ「Ｔ」字型となる構成であっても構わない。即ち、姿勢固定部５２を、覆蓋部５１の一方の長手側縁部から他方の長手側端部に延びた段形状の構成とすることができる。これにより、覆蓋部５１の長手側縁部を床面に当接するような姿勢にすれば、姿勢固定部５２によって、その姿勢が自立的に維持される。従って、姿勢固定部５２によって、上記実施形態とほぼ同様の作用効果を得ることができる。
また、姿勢固定部５２は、排水蓋５０の一方の長手側縁部にのみ設けた構成であっても構わない。要するに、排水蓋５０を乾燥姿勢にした際に、自立的にその姿勢が維持される構成であればよい。
なお、この構成を備えた排水蓋５０を用いる場合は、排水凹部の形状を適宜好ましいものに変更する必要がある。
【００４５】
また、同様の知見に基づいて、排水蓋と姿勢固定部との関係が、「コ」の字型となる構成にしても構わない。即ち、図１２に示すように、姿勢固定部５５を覆蓋部５４の１対の短手側縁部に設け、覆蓋部５４に対してほぼ直交するように張り出した構成とすることができる。これにより、覆蓋部５４の長手側縁部を床面に当接するような姿勢にすることで、前記構成と同様、姿勢固定部５５によって、その姿勢が自立的に維持される。
【００４６】
上記実施形態では、姿勢固定部１１の突起部３２に溝形状の滑り止め加工を施した構成を示したが、本発明ではこれに限定されず、例えば、突起部３２に摩擦係数が高いゴム等の部材を設けた構成であっても構わない。
また、突起部３２に加えて、又は替えて姿勢固定部１１の突端部である曲面部３３近傍に滑り止め加工を施しても構わない。
【００４７】
上記実施形態では、乾燥姿勢の排水蓋１と排水凹部２との当接面積を極力減縮するために、姿勢固定部１１に点状の突起部（隙間形成部）３２を設けた構成を示したが、本発明はこれに限定されず、例えば、畝状に形成した隙間形成部であっても構わない。これによれば、排水蓋と排水凹部は線状に接触することとなり、乾燥姿勢における排水蓋はより安定する。
【符号の説明】
【００４８】
１    排水蓋（浴室用排水蓋）
２    排水凹部
３    排水口
１０    覆蓋部
１１    姿勢固定部
１５    一時貯留部
２０    回動阻止部
２１    段状傾斜部
３２    突起部（隙間形成部）
【図１】
2012072574.tif 000003
【図２】
2012072574.tif 000004
【図３】
2012072574.tif 000005
【図４】
2012072574.tif 000006
【図５】
2012072574.tif 000007
【図６】
2012072574.tif 000008
【図７】
2012072574.tif 000009
【図８】
2012072574.tif 000010
【図９】
2012072574.tif 000011
【図１０】
2012072574.tif 000012
【図１１】
2012072574.tif 000013
【図１２】
2012072574.tif 000014